【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
イーサネット（登録商標）・エクスチェンジ・スイッチ・ファブリックと統合され、前記スイッチ・ファブリックの２つ以上のポートの間に確立された１つまたは複数の仮想回路を介して、２つ以上のキャリアのプライベート・イーサネット（登録商標）網を相互接続するエンドツーエンドのプロセスを自動化するように構成された、サーバ上にあるウェブ対応ユーザ・インタフェースを備え、
前記インタフェースを成すコンポーネントは、電子回路、ソフトウエアコーディング、又はそれら２つのいずれかの組み合わせにおいて実施され、前記ソフトウエアコーディングにおいて実施されるコンポーネントは、非一時的な機械可読媒体上において実行可能な形式で保存されており、
前記ウェブ対応ユーザ・インタフェースが、参加キャリアに対して情報を要請するためにウェブ・ページおよびテンプレートをクライアント・マシン上のブラウザ・アプリケーションに提示するように構成され、
前記情報が、前記ウェブ・ページおよびテンプレートから抽出され、前記参加キャリアが、１）提供されるネットワーク・サービスおよび能力を公開すること、２）各キャリアによって提供されるネットワーク・サービスおよび能力を探索すること、３）見積要求（ＲＦＱ）および前記見積要求（ＲＦＱ）への応答を提出すること、４）前記キャリアのプライベート・イーサネット（登録商標）網の間の前記仮想回路のプロビジョニングを開始すること、ならびに５）前記ウェブ対応ユーザ・インタフェースから、前記仮想回路および前記キャリア自体のプライベート・イーサネット（登録商標）網を監視し、トラブル解決することを可能にするために、関連づけられたデータベースに格納される、装置。
【請求項２】
前記参加キャリアがそれぞれ、ある代表者を、管理者役割をもつ管理者として任命し、
前記管理者が、代表者のグループに他の役割を割り当て、前記代表者に権利および許可を付与する権限を与えられ、
前記グループ内の代表者による、前記ウェブ対応ユーザ・インタフェースのナビゲーションが、割り当てられた役割および前記代表者に付与されたアクセス特権の１つまたは複数に基づいて個別化される、請求項１に記載の装置。
【請求項３】
前記テンプレートが、ネットワーク能力および特性についての第１のテンプレート、ユーザ・アカウント情報についての第２のテンプレートを含む、具体的なトピックまたは目的に関する情報を前記参加キャリアに対して要請するように編成され、
前記参加キャリアからの前記情報が、前記テンプレートから抽出され、前記ウェブ対応ユーザ・インタフェースおよび前記統合スイッチ・ファブリックの１つまたは複数によって繰り返し使うために前記データベースに格納され、
前記テンプレートが、手動入力、プルダウン・タイプのメニューに提示される可能入力の選択、既存情報の選択、および前記テンプレートのフィールドへの自動投入を含む多くの機構によって、前記参加キャリアに対して情報を要請し、このようにしてデータが所与のテンプレートに入力され、前記テンプレートからデータベースに抽出されると、前記データが、再度必要とされる可能性があるときは常に再利用され、
第１のルーチンが、前記情報を前記テンプレートから自動的に抽出し、前記情報を前記データベースに格納するようにコーディングされる、請求項１に記載の装置。
【請求項４】
前記テンプレートが、前記キャリアに資格を付与することを許容するキャリア資格付与テンプレートと、前記キャリアの情報、提供されるサービス及びネットワーク能力を列挙するキャリア・プロファイル・テンプレートとを含む、請求項３に記載の装置。
【請求項５】
前記テンプレートに対して要請される前記情報が、１）番地、２）大都市圏または都市の名称、および３）郵便番号または他の同様の一般的な地理的識別伝達情報の入力の１つまたは複数に基づいて、前記ウェブ・ポータルの中に構築された探索機能性を用いて他の参加キャリアによって発見されるように、探索可能データベースにその後格納される、参加キャリアのリット（ｌｉｔ）ビルディング情報を含む、請求項３に記載の装置。
【請求項６】
前記参加キャリアの前記代表者の１人または複数が、前記キャリアのリット（ｌｉｔ）ビルディング情報がどのように閲覧され得るかに関して制約を設ける権限を与えられる、請求項５に記載の装置。
【請求項７】
グループ内の前記代表者に割り当てられた前記役割が、サービスを探索し、前記見積要求（ＲＦＱ）および前記見積要求（ＲＦＱ）への応答を提出し、前記プライベート・イーサネット（登録商標）網の間の前記仮想回路をプロビジョニングし、前記仮想回路を監視し、トラブル解決する権限を与えられた役割を含む、請求項１に記載の装置。
【請求項８】
前記ウェブ対応ユーザ・インタフェースが、ワールド・ワイド・ウェブ上のウェブ・サイトに関連づけられ、前記管理者および前記代表者グループが、前記管理者および代表者の参加キャリアの代わりにアクションを実施することを可能にするための複数のオプションを有するホーム・ページを含み、
前記ホーム・ページに関連づけられた前記オプションおよびウェブ・ページが、前記管理者および代表者の割り当てられた役割ならびに付与された権利および許可の１つまたは複数に基づいて、グループ内の前記代表者それぞれに対して選択的に提示される、請求項２に記載の装置。
【請求項９】
前記管理者が、グループの前記代表者を、前記ウェブ・サイトのメンバになるよう勧誘することによって、グループ内の前記代表者に役割を割り当て、権利および許可を付与し、
グループ内の前記代表者がそれぞれ、前記管理者を関与させずに自分の証明情報を提供するよう求められ、
前記権利および許可が、前記代表者それぞれが前記ウェブ・サイトと自分の証明情報を確立したことに続いて、前記管理者によって付与される、請求項８に記載の装置。
【請求項１０】
前記ホーム・ページが、前記参加キャリアの１人または複数の代表者が、１）番地、２）大都市圏または都市の名称、および３）郵便番号または他の同様の一般的な地理的識別伝達情報の１つまたは複数に基づいて、すべての前記参加キャリアのリット（ｌｉｔ）ビルディングを探索することを可能にするように構成された探索オプションを含み、
前記イーサネット（登録商標）・エクスチェンジ・スイッチ・ファブリックが、前記サーバ上にある前記ウェブ対応ユーザ・インタフェースと統合された、２つ以上のイーサネット（登録商標）・キャリア用の１つまたは複数のイーサネット（登録商標）・ルータおよびイーサネット（登録商標）・スイッチを有する複数ポート・スイッチ・ファブリックである、請求項８に記載の装置。
【請求項１１】
前記ホーム・ページが、見積要求（ＲＦＱ）、入札、参加キャリア、サービス、およびリット（ｌｉｔ）ビルディングの１つまたは複数に関連した更新情報を表示するように構成されたサイド・バーを含む、請求項１０に記載の装置。
【請求項１２】
前記スイッチ・ファブリックが、どちらかのプライベート・イーサネット（登録商標）網において使われる固有プロトコルに依存せずに、２つのプライベート・イーサネット（登録商標）網の間の変換サービスを実施するように構成され、
前記スイッチ・ファブリックが、前記参加キャリアの前記プライベート・イーサネット（登録商標）網の間の様々なプロトコル、帯域幅要件の間で前後コンバートするエージェントとして作用するようにコーディングされたアプリケーションを含む、請求項１に記載の装置。
【請求項１３】
前記ウェブ対応ユーザ・インタフェースが、１）前記参加キャリアが、前記キャリアのネットワークに関する情報を、前記キャリアのデータベースから、前記ＡＰＩにより、標準的なやり方で前記ウェブ対応ユーザ・インタフェースにプッシュすることを可能にするため、または２）前記ウェブ対応ユーザ・インタフェースが、参加キャリアのネットワークに関する情報を、前記キャリアのデータベースから、前記ＡＰＩにより、標準的なやり方でプルすることを可能にするための、アプリケーション・プログラミング・インタフェース（ＡＰＩ）を提供するように構成され、
前記ＡＰＩが、前記参加キャリアが、１）前記参加キャリアのアプリケーションの情報を前記ウェブ対応ユーザ・インタフェース上で閲覧すること、および２）前記情報を、前記キャリアのデータベースに格納することを可能にするように構成され、前記データベースが次いで、前記イーサネット（登録商標）・エクスチェンジに関連づけられた前記データベース中に複製され、前記参加キャリアのデータベース中の特定のフィールドにあるデータの、前記イーサネット（登録商標）・エクスチェンジに関連づけられた前記データベース中の前記フィールドへの移動を手動で取り決める必要をなくす、請求項１２に記載の装置。
【請求項１４】
前記ＡＰＩが、参加キャリアのリット（ｌｉｔ）ビルディングＡＰＩ、価格設定および見積作成ＡＰＩ、ならびにネットワーク運用制御（ＮＯＣ）ＡＰＩを含む、請求項１３に記載の装置。
【請求項１５】
前記スイッチ・ファブリックおよび前記ウェブ対応ユーザ・インタフェースがキャリア中立であり、
前記ウェブ対応ユーザ・インタフェースが、容量、価格、サービス・レベル、およびイーサネット（登録商標）・サービスを有するビルディングにより、リット（ｌｉｔ）ビルディングを発見することを許容するように構成され、
前記発見が、１つまたは複数のテンプレートによって可能にされ、
前記テンプレートを介して前記参加キャリアによって提供される情報が、探索可能および公開可能になるように格納され集約される、請求項１に記載の装置。
【請求項１６】
スイッチ・ファブリックと統合され、前記スイッチ・ファブリックの１つまたは複数のイーサネット（登録商標）・エクスチェンジャによって確立された１つまたは複数の仮想回路を介してキャリアのプライベート・イーサネット（登録商標）網を相互接続するエンドツーエンドのプロセスを自動化するように構成されたウェブ対応ユーザ・インタフェースを提供する手段であって、前記イーサネット（登録商標）・エクスチェンジャが、参加キャリアの前記プライベート・イーサネット（登録商標）網を、そのポートを介して接続するように構成された手段と、
前記参加キャリアがそれぞれ、ある代表者を、管理者役割をもつ管理者として任命するための手段であって、前記管理者が、代表者グループに他の役割を割り当て、前記グループ内の前記代表者に権利および許可を付与する権限を与えられる手段と、
前記参加キャリアに対して情報を要請するためにウェブ・ページおよびテンプレートを提示し、前記参加キャリアが見積要求（ＲＦＱ）および前記見積要求（ＲＦＱ）への応答を提出することを可能にし、前記キャリアのプライベート・イーサネット（登録商標）網の間の前記仮想回路をプロビジョニングし、前記仮想回路を監視し、トラブル解決するように前記ウェブ対応ユーザ・インタフェースを構成する手段であって、前記ウェブ対応ユーザ・インタフェースおよび前記統合スイッチ・ファブリックが、前記参加キャリアのいずれにも偏らない手段とを備えるシステム。
【請求項１７】
前記グループ内の代表者によるナビゲーションが、前記割り当てられた役割および前記代表者に付与された前記アクセス特権の１つまたは複数に基づいて個別化されるように、前記ウェブ対応ユーザ・インタフェースを構成する手段をさらに備える、請求項１６に記載のシステム。
【請求項１８】
複数のキャリアが、ウェブ対応ユーザ・インタフェースおよび１つまたは複数のイーサネット（登録商標）・エクスチェンジャを有する統合スイッチ・ファブリックを含むイーサネット（登録商標）・エクスチェンジ・サービスに参加することを可能にするステップであって、前記インタフェースを成すコンポーネントは、電子回路、ソフトウエアコーディング、又はそれら２つのいずれかの組み合わせにおいて実施され、前記ソフトウエアコーディングにおいて実施されるコンポーネントは、非一時的な機械可読媒体上において実行可能な形式で保存されるステップと、
前記イーサネット（登録商標）・エクスチェンジ・スイッチ・ファブリックの２つ以上のポートの間に確立された１つまたは複数の仮想回路を介して、２つ以上のキャリアのプライベート・イーサネット（登録商標）網を相互接続するエンドツーエンドのプロセスを自動化するステップと、
前記複数のキャリアそれぞれが、管理者および代表者グループに、前記キャリアそれぞれの代わりに作用するために役割と権利および許可とを割り当てることを可能にするステップと、
前記複数のキャリアから情報を要請するためにウェブ・ページおよびテンプレートを提示するステップと、
前記ウェブ・ページおよびテンプレートから抽出し、前記参加キャリアが、１）提供されるネットワーク・サービスおよび能力を公開すること、２）各キャリアによって提供されるネットワーク・サービスおよび能力を探索すること、３）見積要求（ＲＦＱ）および前記見積要求（ＲＦＱ）への応答を提出すること、４）前記キャリアのプライベート・イーサネット（登録商標）網の間の前記仮想回路のプロビジョニングを開始すること、ならびに５）前記ウェブ対応ユーザ・インタフェースから、前記仮想回路および前記キャリア自体のプライベート・イーサネット（登録商標）網を監視し、トラブル解決することを可能にするために、関連づけられたデータベースに格納するステップと、を備える方法。
【請求項１９】
前記管理者およびグループ内の前記代表者それぞれが、その役割と権利および許可との１つまたは複数に基づいて、前記ウェブ対応ユーザ・インタフェースを用いて、異なる経験をもつことを可能にするステップ、をさらに備える請求項１８に記載の方法。
【請求項２０】
前記非一時的な機械可読媒体は指令を保存しており、
前記指令は、前記機械によって実行される際に、前記機械に対して請求項１８に記載の動作を行わせるよう構成されている、請求項１８に記載の方法。